(57)【要約】【課題】トランジスタに高電圧が印加された場合、その高電圧が制御手段に印加されて構成部品が発火、発煙するのを防止する誘導加熱調理器を提供することを目的とする。【解決手段】高周波磁界を発生する加熱コイル６と、加熱コイルに高周波電流を供給するトランジスタ８と、トランジスタのオンオフを制御する制御手段１２と、制御手段１２とトランジスタ８の制御電極の間に挿入した過電流保護手段１３と、トランジスタ８の制御電極とエミッタ電極の間に挿入した過電圧保護手段１４とを備えたものである。これによって、過電流保護手段１３と過電圧保護手段１４の作用により、トランジスタ８が破壊してトランジスタの制御電極に高電圧が印加された場合に、その高電圧が制御手段１２に印加されて制御手段１２の構成部品が発火、発煙するのを防止することができ、信頼性の高いものとすることができる。【選択図】図１
2008091057.tif 000002
【特許請求の範囲】
【請求項１】
高周波磁界を発生する加熱コイルと、加熱コイルに高周波電流を供給するトランジスタと、トランジスタのオンオフを制御する制御手段と、制御手段とトランジスタの制御電極の間に挿入した過電流保護手段と、トランジスタの制御電極とエミッタ電極の間に挿入した過電圧保護手段とを備えた誘導加熱調理器。
【請求項２】
過電流保護手段を電流ヒューズで構成し、過電圧保護手段を定電圧ダイオードで構成した請求項１に記載の誘導加熱調理器。
【請求項３】
過電流保護手段を電流ヒューズで構成し、過電圧保護手段をバリスタで構成した請求項１に記載の誘導加熱調理器。
【請求項４】
過電流保護手段を電流ヒューズで構成し、過電圧保護手段をトランジスタとトランジスタのベース電極とコレクタ電極に定電圧ダイオードを接続した回路で構成した請求項１に記載の誘導加熱調理器。
【請求項５】
過電流保護手段を抵抗で構成し、過電圧保護手段を定電圧ダイオードで構成した請求項１に記載の誘導加熱調理器。
【請求項６】
過電流保護手段を抵抗で構成し、過電圧保護手段をバリスタで構成した請求項１に記載の誘導加熱調理器。
【請求項７】
過電流保護手段を抵抗で構成し、過電圧保護手段をトランジスタとトランジスタのベース電極とコレクタ電極に定電圧ダイオードを接続した回路で構成した請求項１に記載の誘導加熱調理器。
【請求項８】
過電流保護手段をパターンヒューズで構成し、過電圧保護手段を定電圧ダイオードで構成した請求項１に記載の誘導加熱調理器。
【請求項９】
過電流保護手段をパターンヒューズで構成し、過電圧保護手段をバリスタで構成した請求項１に記載の誘導加熱調理器。
【請求項１０】
過電流保護手段をパターンヒューズで構成し、過電圧保護手段をトランジスタとトランジスタのベース電極とコレクタ電極に定電圧ダイオードを接続した回路で構成した請求項１に記載の誘導加熱調理器。
【発明の詳細な説明】
【技術分野】
【０００１】
本発明は、誘導加熱方式により調理を行う誘導加熱調理器に関するものである。
【背景技術】
【０００２】
従来、誘導加熱調理器として、高周波磁界を発生する加熱コイルと、加熱コイルに高周波電流を供給するスイッチング素子としてのトランジスタと、トランジスタのオンオフを制御する制御手段とを備えたものはよく知られている（例えば、特許文献１参照）。
【特許文献１】特開平９−８２４６６号公報
【発明の開示】
【発明が解決しようとする課題】
【０００３】
しかしながら、前記従来の構成では、電源に重畳するノイズ、雷、静電気などにより、マイコンなどで構成された制御手段の構成部品が誤動作すると、誤動作のモードによってはトランジスタが破壊することがある。例えば、制御手段のマイコンがノイズにより誤動作し、制御手段の出力がＨＩＧＨのままになると、トランジスタはオンを続けるので、加熱コイルに低周波大電流が流れ、トランジスタが過電流により破壊する。破壊モードとしてはトランジスタのコレクタ電極とエミッタ電極とゲート電極すべてが短絡する場合がある。この場合、通常は電流ヒューズが溶断するようになっているが、電源インピーダンスなどの使用環境によっては電流ヒューズが溶断せずに、トランジスタのエミッタ電極のボンディングワイヤーが溶断する。すると、交流電源の電圧がトランジスタのコレクタ電極、ゲート電極を通じて制御手段に印加され、正常時は２０Ｖで動作している制御手段の構成部品が過電圧（交流電源の電圧が１００Ｖの場合は、実行値１００Ｖの脈流）により発火、発煙するなどの不具合が発生することが生じる。
【０００４】
本発明は、前記従来の課題を解決するもので、トランジスタが破壊してトランジスタの制御電極に高電圧が印加された場合に、その高電圧が制御手段に印加されて制御手段の構成部品が発火、発煙するのを防止することができる、信頼性の高い誘導加熱調理器を提供することを目的とする。
【課題を解決するための手段】
【０００５】
前記従来の課題を解決するために、本発明の誘導加熱調理器は、高周波磁界を発生する加熱コイルと、加熱コイルに高周波電流を供給するトランジスタと、トランジスタのオンオフを制御する制御手段と、制御手段とトランジスタの制御電極の間に挿入した過電流保護手段と、トランジスタの制御電極とエミッタ電極の間に挿入した過電圧保護手段とを備えたものである。
【０００６】
これによって、過電流保護手段と過電圧保護手段の作用により、トランジスタが破壊してトランジスタの制御電極に高電圧が印加された場合に、その高電圧が制御手段に印加されて制御手段の構成部品が発火、発煙するのを防止することができ、信頼性の高いものとすることができる。
【発明の効果】
【０００７】
本発明の誘導加熱調理器は、トランジスタが破壊してトランジスタの制御電極に高電圧が印加された場合に、その高電圧が制御手段に印加されて制御手段の構成部品が発火、発煙するのを防止することができ、信頼性の高いものとすることができる。
【発明を実施するための最良の形態】
【０００８】
第１の発明は、高周波磁界を発生する加熱コイルと、加熱コイルに高周波電流を供給するトランジスタと、トランジスタのオンオフを制御する制御手段と、制御手段とトランジスタの制御電極の間に挿入した過電流保護手段と、トランジスタの制御電極とエミッタ電極の間に挿入した過電圧保護手段とを備えた誘導加熱調理器とすることにより、過電流保護手段と過電圧保護手段の作用により、トランジスタが破壊してトランジスタの制御電極に高電圧が印加された場合に、その高電圧が制御手段に印加されて制御手段の構成部品が発火、発煙するのを防止することができ、信頼性の高いものとすることができる。
【０００９】
第２の発明は、特に、第１の発明において、過電流保護手段を電流ヒューズで構成し、過電圧保護手段を定電圧ダイオードで構成したことにより、定電圧ダイオードで制御手段に過電圧が印加されるのを防止し、かつ定電圧ダイオードに流れた電流で電流ヒューズを溶断して、トランジスタが破壊してトランジスタの制御電極に高電圧が印加された場合に、その高電圧が制御手段に印加されて制御手段の構成部品が発火、発煙するのを防止できる。
【００１０】
第３の発明は、特に、第１の発明において、過電流保護手段を電流ヒューズで構成し、過電圧保護手段をバリスタで構成したことにより、バリスタで制御手段に過電圧が印加されるのを防止し、かつバリスタに流れた電流で電流ヒューズを溶断して、トランジスタが破壊してトランジスタの制御電極に高電圧が印加された場合に、その高電圧が制御手段に印加されて制御手段の構成部品が発火、発煙するのを防止できる。
【００１１】
第４の発明は、特に、第１の発明において、過電流保護手段を電流ヒューズで構成し、過電圧保護手段をトランジスタとトランジスタのベース電極とコレクタ電極に定電圧ダイオードを接続した回路で構成したことにより、トランジスタとトランジスタのベース電極とコレクタ電極に定電圧ダイオードを接続した回路で制御手段に過電圧が印加されるのを防止し、かつトランジスタとトランジスタのベース電極とコレクタ電極に定電圧ダイオードを接続した回路に流れた電流で電流ヒューズを溶断して、トランジスタが破壊してトランジスタの制御電極に高電圧が印加された場合に、その高電圧が制御手段に印加されて制御手段の構成部品が発火、発煙するのを防止できる。
【００１２】
第５の発明は、特に、第１の発明において、過電流保護手段を抵抗で構成し、過電圧保護手段を定電圧ダイオードで構成したことにより、定電圧ダイオードで制御手段に過電圧が印加されるのを防止し、かつ定電圧ダイオードに流れた電流で抵抗を溶断して、トランジスタが破壊してトランジスタの制御電極に高電圧が印加された場合に、その高電圧が制御手段に印加されて制御手段の構成部品が発火、発煙するのを防止できる。
【００１３】
第６の発明は、特に、第１の発明において、過電流保護手段を抵抗で構成し、過電圧保護手段をバリスタで構成したことにより、バリスタで制御手段に過電圧が印加されるのを防止し、かつバリスタに流れた電流で抵抗を溶断して、トランジスタが破壊してトランジスタの制御電極に高電圧が印加された場合に、その高電圧が制御手段に印加されて制御手段の構成部品が発火、発煙するのを防止できる。
【００１４】
第７の発明は、特に、第１の発明において、過電流保護手段を抵抗で構成し、過電圧保護手段をトランジスタとトランジスタのベース電極とコレクタ電極に定電圧ダイオードを接続した回路で構成したことにより、トランジスタとトランジスタのベース電極とコレクタ電極に定電圧ダイオードを接続した回路で制御手段に過電圧が印加されるのを防止し、かつトランジスタとトランジスタのベース電極とコレクタ電極に定電圧ダイオードを接続した回路に流れた電流で抵抗を溶断して、トランジスタが破壊してトランジスタの制御電極に高電圧が印加された場合に、その高電圧が制御手段に印加されて制御手段の構成部品が発火、発煙するのを防止できる。
【００１５】
第８の発明は、特に、第１の発明において、過電流保護手段をパターンヒューズで構成し、過電圧保護手段を定電圧ダイオードで構成したことにより、定電圧ダイオードで制御手段に過電圧が印加されるのを防止し、かつ定電圧ダイオードに流れた電流でパターンヒューズを溶断して、トランジスタが破壊してトランジスタの制御電極に高電圧が印加された場合に、その高電圧が制御手段に印加されて制御手段の構成部品が発火、発煙するのを防止できる。
【００１６】
第９の発明は、特に、第１の発明において、過電流保護手段をパターンヒューズで構成し、過電圧保護手段をバリスタで構成したことにより、バリスタで制御手段に過電圧が印加されるのを防止し、かつバリスタに流れた電流でパターンヒューズを溶断して、トランジスタが破壊してトランジスタの制御電極に高電圧が印加された場合にその高電圧が制御手段に印加されて制御手段の構成部品が発火、発煙するのを防止できる。
【００１７】
第１０の発明は、特に、第１の発明において、過電流保護手段をパターンヒューズで構成し、過電圧保護手段をトランジスタとトランジスタのベース電極とコレクタ電極に定電圧ダイオードを接続した回路で構成したことにより、トランジスタとトランジスタのベース電極とコレクタ電極に定電圧ダイオードを接続した回路で制御手段に過電圧が印加されるのを防止し、かつトランジスタとトランジスタのベース電極とコレクタ電極に定電圧ダイオードを接続した回路に流れた電流でパターンヒューズを溶断して、トランジスタが破壊してトランジスタの制御電極に高電圧が印加された場合に、その高電圧が制御手段に印加されて制御手段の構成部品が発火、発煙するのを防止できる。
【００１８】
以下、本発明の実施の形態について、図面を参照しながら説明する。なお、この実施の形態によって本発明が限定されるものではない。
【００１９】
（実施の形態１）
図１は、本発明の実施の形態１における誘導加熱調理器を示している。
【００２０】
図に示すように、本実施の形態における誘導加熱調理器は、交流電源１と、電源スイッチ２と、定格電流１Ａの電流ヒューズ３と、ブリッジ形の整流器４と、高周波電力を発生するインバータ５とを備えている。インバータ５は、高周波磁界を発生する加熱コイル６と、共振コンデンサ７と、加熱コイル６に高周波電流を供給するトランジスタ（ＩＧＢＴ）８と、ダイオード９と、整流器４の出力を高周波に対して安定させるチョークコイル１０と、コンデンサ１１とで構成されている。
【００２１】
そしてまた、本実施の形態における誘導加熱調理器は、トランジスタ８のオンオフを制御するマイコンなどで構成されている制御手段１２と、制御手段１２とトランジスタ８の制御電極の間に挿入した過電流保護手段１３と、トランジスタ８の制御電極とエミッタ電極の間に挿入した過電圧保護手段１４とを備えている。本実施の形態では、制御手段１２の動作電圧を２０Ｖとし、定電圧ダイオードのツェナー電圧を２４Ｖとしている。また、過電流保護手段１３は電流ヒューズからなり、過電圧保護手段１４は定電圧ダイオードからなっている。
【００２２】
以上のように構成された誘導加熱調理器について、以下その動作を説明する。
【００２３】
調理中に交流電源１に重畳するノイズ、雷、静電気などにより、マイコンなどで構成されている制御手段１２の構成部品が誤動作すると、誤動作のモードによってはトランジスタ８が破壊することがある。例えば、制御手段１２のマイコンがノイズにより誤動作し、制御手段１２の出力がＨＩＧＨのままになると、トランジスタ８はオンを続けるので、加熱コイル６に低周波大電流が流れトランジスタ８が過電流により破壊する。
【００２４】
破壊モードとしてはトランジスタ８のコレクタ電極Ｃとエミッタ電極Ｅとゲート電極Ｇのすべてが短絡する場合がある。このような場合、通常は電流ヒューズ３が溶断するが、電源インピーダンスなどの使用環境によっては電流ヒューズ３が溶断せずに、トランジスタ８のエミッタ電極Ｅのボンディングワイヤーが溶断すると、交流電源１の電圧が整流器４、チョークコイル１０、加熱コイル６、トランジスタ８のコレクタ電極Ｃを通じてゲート電極Ｇに印加される。その電圧が過電流保護手段１３を介して制御手段１２に印加されようとするが、過電圧保護手段１４が制御手段１２への印加電圧が２４Ｖ以上にならないように抑制する、もしくは過電流により過電圧保護手段１４が短絡破壊する結果、過電流保護手段１３が溶断して制御手段１２に過電圧が印加されるのを防ぎ、制御手段１２の構成部品が発火、発煙するなどの不具合を防止する。
【００２５】
このように、本実施の形態では、過電流保護手段（電流ヒューズ）１３と過電圧保護手段（定電圧ダイオード）１４の作用により、トランジスタ８が破壊してトランジスタの制御電極に高電圧が印加された場合に、その高電圧が制御手段１２に印加されて制御手段１２の構成部品が発火、発煙するのを防止することができ、信頼性の高いものとすることができる。
【００２６】
（実施の形態２）
図２は、本発明の実施の形態２における誘導加熱調理器を示している。実施の形態１と同一要素については同一符号を付してその説明を省略する。
【００２７】
本実施の形態において実施の形態１との相違点は、過電圧保護手段１４をバリスタ１５で構成している点である。本実施の形態では、バリスタ１５のバリスタ電圧を２４Ｖとしている。その他は実施の形態１と同様である。
【００２８】
以上のように構成された誘導加熱調理器について、以下その動作を説明する。
【００２９】
調理中に交流電源１に重畳するノイズ、雷、静電気などにより、マイコンなどで構成されている制御手段１２の構成部品が誤動作すると、誤動作のモードによってはトランジスタ８が破壊することがある。例えば、制御手段１２のマイコンがノイズにより誤動作し、制御手段１２の出力がＨＩＧＨのままになると、トランジスタ８はオンを続けるので、加熱コイル６に低周波大電流が流れトランジスタ８が過電流により破壊する。
【００３０】
破壊モードとしてはトランジスタ８のコレクタ電極Ｃとエミッタ電極Ｅとゲート電極Ｇすべてが短絡する場合がある。このような場合、通常は電流ヒューズ３が溶断するが、電源インピーダンスなどの使用環境によっては電流ヒューズ３が溶断せずに、トランジスタ８のエミッタ電極Ｅのボンディングワイヤーが溶断すると、交流電源１の電圧が整流器４、チョークコイル１０、加熱コイル６、トランジスタ８のコレクタ電極Ｃを通じてトランジスタ８のゲート電極Ｇに印加される。その電圧が電流ヒューズよりなる過電流保護手段１３を介して制御手段１２に印加されようとするが、バリスタ１５が制御手段１２への印加電圧が２４Ｖ以上にならないように抑制する、もしくは過電流によりバリスタ１５が短絡破壊する結果、過電流保護手段１３が溶断して制御手段１２に過電圧が印加されるのを防ぎ、制御手段１２の構成部品が発火、発煙するなどの不具合を防止する。
【００３１】
このように、本実施の形態では、バリスタ１５で制御手段１２に過電圧が印加されるのを防止し、かつバリスタ１５に流れた電流で過電流保護手段１３である電流ヒューズを溶断して、トランジスタ８が破壊してトランジスタの制御電極に高電圧が印加された場合に、その高電圧が制御手段１２に印加されて制御手段１２の構成部品が発火、発煙するのを防止できる。
【００３２】
（実施の形態３）
図３は、本発明の実施の形態３における誘導加熱調理器を示している。実施の形態１と同一要素については同一符号を付してその説明を省略する。
【００３３】
本実施の形態において実施の形態１との相違点は、過電圧保護手段１４をトランジスタ１７とトランジスタのベース電極とコレクタ電極に定電圧ダイオード１６を接続した回路で構成している点である。その他は実施の形態１と同様である。
【００３４】
以上のように構成された誘導加熱調理器について、以下その動作を説明する。
【００３５】
調理中に交流電源１に重畳するノイズ、雷、静電気などにより、マイコンなどで構成されている制御手段１２の構成部品が誤動作すると、誤動作のモードによってはトランジスタ８が破壊することがある。例えば、制御手段１２のマイコンがノイズにより誤動作し、制御手段１２の出力がＨＩＧＨのままになると、トランジスタ８はオンを続けるので、加熱コイル６に低周波大電流が流れトランジスタ８が過電流により破壊する。
【００３６】
破壊モードとしてはトランジスタ８のコレクタ電極Ｃとエミッタ電極Ｅとゲート電極Ｇすべてが短絡する場合がある。このような場合、通常は電流ヒューズ３が溶断するが、電源インピーダンスなどの使用環境によっては電流ヒューズ３が溶断せずに、トランジスタ８のエミッタ電極Ｅのボンディングワイヤーが溶断すると、交流電源１の電圧が整流器４、チョークコイル１０、加熱コイル６、トランジスタ８のコレクタ電極Ｃを通じてトランジスタ８のゲート電極Ｇに印加される。その電圧が電流ヒューズである過電流保護手段１３を介して制御手段１２に印加されようとするが、定電圧ダイオード１６のツェナー電圧を２４Ｖとすると、トランジスタ１７のコレクタ電極−エミッタ電極間は約２４Ｖに抑制される結果、過電流保護手段１３が溶断して制御手段１２に過電圧が印加されるのを防ぎ、制御手段１２の構成部品が発火、発煙するなどの不具合を防止する。
【００３７】
このように、本実施の形態では、トランジスタ１７とトランジスタのベース電極とコレクタ電極に定電圧ダイオード１６を接続した回路で制御手段１２に過電圧が印加されるのを防止し、かつトランジスタ１７とトランジスタのベース電極とコレクタ電極に定電圧ダイオード１６を接続した回路に流れた電流で電流ヒューズである過電流保護手段１３を溶断して、トランジスタ８が破壊してトランジスタ８の制御電極に高電圧が印加された場合に、その高電圧が制御手段１２に印加されて制御手段１２の構成部品が発火、発煙するのを防止できる。
【００３８】
（実施の形態４）
図４は、本発明の実施の形態４における誘導加熱調理器を示している。実施の形態１と同一要素については同一符号を付してその説明を省略する。
【００３９】
本実施の形態において実施の形態１との相違点は、過電流保護手段１３を抵抗１８で構成している点である。なお、抵抗１８は不燃性または難燃性を有している。その他は実施の形態１と同様である。
【００４０】
以上のように構成された誘導加熱調理器について、以下その動作を説明する。
【００４１】
調理中に交流電源１に重畳するノイズ、雷、静電気などにより、マイコンなどで構成されている制御手段１２の構成部品が誤動作すると、誤動作のモードによってはトランジスタ８が破壊することがある。例えば、制御手段１２のマイコンがノイズにより誤動作し、制御手段１２の出力がＨＩＧＨのままになると、トランジスタ８はオンを続けるので、加熱コイル６に低周波大電流が流れトランジスタ８が過電流により破壊する。
【００４２】
破壊モードとしてはトランジスタ８のコレクタ電極Ｃとエミッタ電極Ｅとゲート電極Ｇすべてが短絡する場合がある。このような場合、通常は電流ヒューズ３が溶断するが、電源ピーダンスなどの使用環境によっては電流ヒューズ３が溶断せずに、トランジスタ８のエミッタ電極Ｅのボンディングワイヤーが溶断すると、交流電源１の電圧が整流器４、チョークコイル１０、加熱コイル６、トランジスタ８のコレクタ電極Ｃを通じてトランジスタ８のゲート電極Ｇに印加される。その電圧が抵抗１８を介して制御手段１２に印加されようとするが、過電圧保護手段が２４Ｖ以上にならないように抑制する結果、抵抗１８が溶断して制御手段１２に過電圧が印加されるのを防ぎ、制御手段１２の構成部品が発火、発煙するなどの不具合を防止する。
【００４３】
このように、本実施の形態では、定電圧ダイオードである過電圧保護手段１４で制御手段１２に過電圧が印加されるのを防止し、かつ過電圧保護手段１４に流れた電流で抵抗１８を溶断して、トランジスタ８が破壊してトランジスタ８の制御電極に高電圧が印加された場合に、その高電圧が制御手段１２に印加されて制御手段１２の構成部品が発火、発煙するのを防止できる。なお、抵抗１８は難燃性または不燃性とすれば、抵抗１８の焼損により他の部品に拡大被害が及ぼすことはない。また、過電流保護手段１３を抵抗１８で構成しているために、安価にできる。
【００４４】
（実施の形態５）
図５は、本発明の実施の形態５における誘導加熱調理器を示している。実施の形態２と同一要素については同一符号を付してその説明を省略する。
【００４５】
本実施の形態において実施の形態２との相違点は、過電流保護手段１３を抵抗１８で構成している点である。なお、抵抗１８は不燃性または難燃性を有している。抵抗１８の動作は実施の形態４と同じなので省略する。
【００４６】
このように、本実施の形態では、バリスタ１５で制御手段１２に過電圧が印加されるのを防止し、かつバリスタ１５に流れた電流で抵抗１８を溶断して、トランジスタ８が破壊してトランジスタ８の制御電極に高電圧が印加された場合に、その高電圧が制御手段１２に印加されて制御手段１２の構成部品が発火、発煙するのを防止できる。
【００４７】
（実施の形態６）
図６は、本発明の実施の形態６における誘導加熱調理器を示している。実施の形態３と同一要素については同一符号を付してその説明を省略する。
【００４８】
本実施の形態において実施の形態３との相違点は、過電流保護手段１３を抵抗１８で構成している点である。なお、抵抗１８は不燃性または難燃性を有している。抵抗１８の動作は実施の形態４と同じなので省略する。
【００４９】
このように、本実施の形態では、トランジスタ１７とトランジスタ１７のベース電極とコレクタ電極に定電圧ダイオード１６を接続した回路で制御手段１２に過電圧が印加されるのを防止し、かつトランジスタ１７とトランジスタ１７のベース電極とコレクタ電極に定電圧ダイオード１６を接続した回路に流れた電流で抵抗１８を溶断して、トランジスタ８が破壊してトランジスタ８の制御電極に高電圧が印加された場合に、その高電圧が制御手段１２に印加されて制御手段１２の構成部品が発火、発煙するのを防止できる。
【００５０】
（実施の形態７）
図７は、本発明の実施の形態７における誘導加熱調理器を示している。実施の形態１と同一要素については同一符号を付してその説明を省略する。
【００５１】
本実施の形態において実施の形態１との相違点は、過電流保護手段１３をパターンヒューズ１９で構成している点である。本実施の形態ではパターン幅０．２ｍｍ、パターンの長さ１０ｍｍとし、約定格電流２Ａの電流ヒューズに相当する。パターンヒューズ１９の動作は実施の形態１と同じなので省略する。
【００５２】
このように、本実施の形態では、定電圧ダイオードである過電圧保護手段１４で制御手段１２に過電圧が印加されるのを防止し、かつ過電圧保護手段１４に流れた電流でパターンヒューズ１９を溶断して、トランジスタ８が破壊してトランジスタ８の制御電極に高電圧が印加された場合に、その高電圧が制御手段１２に印加されて制御手段１２の構成部品が発火、発煙するのを防止できる。なお、過電流保護手段１３をパターンヒューズ１９で構成しているために、安価である。
【００５３】
（実施の形態８）
図８は、本発明の実施の形態８における誘導加熱調理器を示している。実施の形態２と同一要素については同一符号を付してその説明を省略する。
【００５４】
本実施の形態において実施の形態２との相違点は、実施の形態２との違いは過電流保護手段１３をパターンヒューズ１９で構成している点である。本実施の形態ではパターン幅０．２ｍｍ、パターンの長さ１０ｍｍとし、約定格電流２Ａの電流ヒューズに相当する。パターンヒューズ１９の動作は実施の形態２と同じなので省略する。
【００５５】
このように、本実施の形態では、バリスタ１５で制御手段１２に過電圧が印加されるのを防止し、かつバリスタ１５に流れた電流でパターンヒューズ１９を溶断して、トランジスタ８が破壊してトランジスタ８の制御電極に高電圧が印加された場合にその高電圧が制御手段１２に印加されて制御手段１２の構成部品が発火、発煙するのを防止できる。なお、過電流保護手段１３をパターンヒューズ１９で構成しているために、安価である。
【００５６】
（実施の形態９）
図９は、本発明の実施の形態９における誘導加熱調理器を示している。実施の形態３と同一要素については同一符号を付してその説明を省略する。
【００５７】
本実施の形態において実施の形態３との相違点は、過電流保護手段１３をパターンヒューズ１９で構成している点である。本実施の形態ではパターン幅０．２ｍｍ、パターンの長さ１０ｍｍとし、約定格電流２Ａの電流ヒューズに相当する。パターンヒューズ１９の動作は実施の形態３と同じなので省略する。
【００５８】
このように、本実施の形態では、トランジスタ１７とトランジスタ１７のベース電極とコレクタ電極に定電圧ダイオード１６を接続した回路で制御手段１２に過電圧が印加されるのを防止し、かつトランジスタ１７とトランジスタ１７のベース電極とコレクタ電極に定電圧ダイオード１６を接続した回路に流れた電流でパターンヒューズ１９を溶断して、トランジスタ８が破壊してトランジスタ８の制御電極に高電圧が印加された場合に、その高電圧が制御手段１２に印加されて制御手段１２の構成部品が発火、発煙するのを防止できる。なお、過電流保護手段１３をパターンヒューズ１９で構成しているために、安価である。
【産業上の利用可能性】
【００５９】
以上のように、本発明にかかる誘導加熱調理器は、トランジスタが破壊してトランジスタの制御電極に高電圧が印加された場合に、その高電圧が制御手段に印加されて制御手段の構成部品が発火、発煙するのを防止することができ、信頼性の高いものとすることができるので、炊飯器、調理器など各種の誘導加熱調理器に適用することができる。
【図面の簡単な説明】
【００６０】
【図１】本発明の実施の形態１における誘導加熱調理器の回路図
【図２】本発明の実施の形態２における誘導加熱調理器の回路図
【図３】本発明の実施の形態３における誘導加熱調理器の回路図
【図４】本発明の実施の形態４における誘導加熱調理器の回路図
【図５】本発明の実施の形態５における誘導加熱調理器の回路図
【図６】本発明の実施の形態６における誘導加熱調理器の回路図
【図７】本発明の実施の形態７における誘導加熱調理器の回路図
【図８】本発明の実施の形態８における誘導加熱調理器の回路図
【図９】本発明の実施の形態９における誘導加熱調理器の回路図
【符号の説明】
【００６１】
６  加熱コイル
８、１７  トランジスタ
１２  制御手段
１３  電流ヒューズ（過電流保護手段）
１４  定電圧ダイオード（過電圧保護手段）
１５  バリスタ（過電圧保護手段）
１６  定電圧ダイオード（過電圧保護手段）
１８  抵抗（過電流保護手段）
１９  パターンヒューズ（過電流保護手段）
【図１】
2008091057.tif 000003
【図２】
2008091057.tif 000004
【図３】
2008091057.tif 000005
【図４】
2008091057.tif 000006
【図５】
2008091057.tif 000007
【図６】
2008091057.tif 000008
【図７】
2008091057.tif 000009
【図８】
2008091057.tif 000010
【図９】
2008091057.tif 000011